(57)【要約】      （修正有）【課題】現場施工が迅速かつ効率的に行え、軽量でありながら構造堅牢なアーチ形屋根に係る。【解決手段】軽量形鋼材２にて形成した軽量鉄骨屋根構造体３と、木造屋根構造体５とでアーチ形屋根Ａの小屋組み軸構造体１を構成し、軽量鉄骨屋根構造体がアーチ形屋根梁材６と、胴差し材８と、棟梁部材９とで形成し、木造屋根構造体５が胴差し材の上面に添設した僅かに幅広の添板部材１０と、アーチ形屋根梁材と胴差し材との間の中央部に立設した１本の小束材１１Ａの両側に添設した僅かに幅広の添板部材１０′と、アーチ形屋根梁材の上面に設ける多数の母屋材１３とで形成され、母屋材の上面にアーチ形屋根梁材の曲率Ｒに沿って下地材１４を張設し、防水シート１６を介して屋根表面材１５を葺き合わせる。【選択図】図１
0003109810.tif 000002
【実用新案登録請求の範囲】
【請求項１】
断面角形、断面Ｈ形、断面Ｉ形等の軽量形鋼材により形成される軽量鉄骨屋根構造体と、
該軽量鉄骨屋根構造体の側面長手方向に組み付けられ、木材により形成される木造屋根構造体とによりアーチ形屋根の小屋組み軸構造体を構成し、
前記軽量鉄骨屋根構造体が、
所望曲率にて形成され長手方向に所望個数が対向して設置されるアーチ形屋根梁材と、
該アーチ形屋根梁材の左右の両端部の下面に水平に設けられて継手部材を介して組み付けられる胴差し材と、
前記アーチ形屋根梁材の中央部最高部位間に長手方向に架設されて組付けられる棟梁部材とにより形成され、
前記木造屋根構造体が、
前記胴差し材の上面に添設された僅かに幅広の木製の添板部材と、
前記アーチ形屋根梁材と前記胴差し材との間の中央部に立設された少なくとも１本の小束材の左右の両側に添設した僅かに幅広の木製の添板部材と、
長手方向に対向する前記アーチ形屋根梁材の上面に所望接合金具を介して両端が接合される多数の木製の母屋材とにより形成され、
該母屋材の上面に前記アーチ形屋根梁材の曲率に沿って木製合板よりなる下地材を張設し、
該下地材の上面に防水シートを介して金属薄板にて形成された屋根表面材を葺き合わせることを特徴とするアーチ形屋根家屋。
【請求項２】
断面角形、断面Ｈ形、断面Ｉ形等の軽量形鋼材により形成される軽量鉄骨屋根構造体と、
該軽量鉄骨屋根構造体の側面長手方向に組み付けられ、木材により形成される木造屋根構造体とによりアーチ形屋根の小屋組み軸構造体を構成し、
前記軽量鉄骨屋根構造体が、
所望曲率にて形成され長手方向に所望個数が対向して設置されるアーチ形屋根梁材と、
該アーチ形屋根梁材の左右の両端部の下面に水平に設けられて継手部材を介して組み付けられる胴差し材と、
前記アーチ形屋根梁材の中央部最高部位間に長手方向に架設されて組付けられる棟梁部材とにより形成され、
前記木造屋根構造体が、
前記胴差し材の上面に添設された僅かに幅広の木製の添板部材と、
前記アーチ形屋根梁材と前記胴差し材との間の中央部に立設された少なくとも１本の小束材の左右の両側に添設した僅かに幅広の木製の添板部材と、
長手方向に対向する前記アーチ形屋根梁材の上面に所望接合金具を介して両端が接合される多数の木製の母屋材とにより形成され、
前記アーチ形屋根梁材の左右の両端部下面が、断面角形、断面Ｈ形、断面Ｉ形等の軽量形鋼材により形成される柱材に継手部材を介して接合し、支持され、
前記母屋材の上面に前記アーチ形屋根梁材の曲率に沿って木製合板よりなる下地材を張設し、
該下地材の上面に防水シートを介して金属薄板にて形成された屋根表面材を葺き合わせることを特徴とするアーチ形屋根家屋。
【請求項３】
断面角形、断面Ｈ形、断面Ｉ形等の軽量形鋼材により形成される軽量鉄骨屋根構造体と、
該軽量鉄骨屋根構造体の側面長手方向に組み付けられ、木材により形成される木造屋根構造体とによりアーチ形屋根の小屋組み軸構造体を構成し、
前記軽量鉄骨屋根構造体が、
所望曲率にて形成され長手方向に所望個数が対向して設置されるアーチ形屋根梁材と、
該アーチ形屋根梁材の左右の両端部の下面に水平に設けられて継手部材を介して組み付けられる胴差し材と、
前記アーチ形屋根梁材の中央部最高部位間に長手方向に架設されて組付けられる棟梁部材とにより形成され、
前記木造屋根構造体が、
前記胴差し材の上面に添設された僅かに幅広の木製の添板部材と、
前記アーチ形屋根梁材と前記胴差し材との間の中央部に立設された少なくとも１本の小束材の左右の両側に添設した僅かに幅広の木製の添板部材と、
長手方向に対向する前記アーチ形屋根梁材の上面に所望接合金具を介して両端が接合される多数の木製の母屋材とにより形成され、
該母屋材の上面に前記アーチ形屋根梁材の曲率に沿って木製合板よりなる下地材を張設し、
該下地材の上面に防水シートを介して金属薄板にて形成された屋根表面材を葺き合わせ、
外壁材または内壁材は、前記胴差し材の上面および前記前記小束材の左右の側面に添設した木製の添板部材を介して外側または内側に断熱材、防水シート等の中間の隔壁部材を介装の上適宜固定部品により取付けられることを特徴とするアーチ形屋根家屋。
【請求項４】
断面角形、断面Ｈ形、断面Ｉ形等の軽量形鋼材により形成される軽量鉄骨屋根構造体と、
該軽量鉄骨屋根構造体の側面長手方向に組み付けられ、木材により形成される木造屋根構造体とによりアーチ形屋根の小屋組み軸構造体を構成し、
前記軽量鉄骨屋根構造体が、
所望曲率にて形成され長手方向に所望個数が対向して設置されるアーチ形屋根梁材と、
該アーチ形屋根梁材の左右の両端部の下面に水平に設けられて継手部材を介して組み付けられる胴差し材と、
前記アーチ形屋根梁材の中央部最高部位間に長手方向に架設されて組付けられる棟梁部材とにより形成され、
前記木造屋根構造体が、
前記胴差し材の上面に添設された僅かに幅広の木製の添板部材と、
前記アーチ形屋根梁材と前記胴差し材との間の中央部に立設された少なくとも１本の小束材の左右の両側に添設した僅かに幅広の木製の添板部材と、
長手方向に対向する前記アーチ形屋根梁材の上面に所望接合金具を介して両端が接合される多数の木製の母屋材とにより形成され、
該母屋材の上面に前記アーチ形屋根梁材の曲率に沿って木製合板よりなる下地材を張設し、
該下地材の上面に防水シートを介して金属薄板にて形成された屋根表面材を葺き合わせ、
前記小屋組み軸構造体により囲まれる内域の屋根裏空間部にはロフトが構築されることを特徴とするアーチ形屋根家屋。
【請求項５】
断面角形、断面Ｈ形、断面Ｉ形等の軽量形鋼材により形成される軽量鉄骨屋根構造体と、
該軽量鉄骨屋根構造体の側面長手方向に組み付けられ、木材により形成される木造屋根構造体とによりアーチ形屋根の小屋組み軸構造体を構成し、
前記軽量鉄骨屋根構造体が、
所望曲率にて形成され長手方向に所望個数が対向して設置されるアーチ形屋根梁材と、
該アーチ形屋根梁材の左右の両端部の下面に水平に設けられて継手部材を介して組み付けられる胴差し材と、
前記アーチ形屋根梁材の中央部最高部位間に長手方向に架設されて組付けられる棟梁部材とにより形成され、
前記木造屋根構造体が、
前記胴差し材の上面に添設された僅かに幅広の木製の添板部材と、
前記アーチ形屋根梁材と前記胴差し材との間の中央部に立設された少なくとも１本の小束材の左右の両側に添設した僅かに幅広の木製の添板部材と、
長手方向に対向する前記アーチ形屋根梁材の上面に所望接合金具を介して両端が接合される多数の木製の母屋材とにより形成され、
該母屋材の上面に前記アーチ形屋根梁材の曲率に沿って木製合板よりなる下地材を張設し、
該下地材の上面に防水シートを介して金属薄板にて形成された屋根表面材を葺き合わせ、
前記母屋材の外側に前記アーチ形屋根梁材の外側面を覆い隠すように化粧板を適宜固定部品により取付けることを特徴とするアーチ形屋根家屋。
【考案の詳細な説明】
【技術分野】
【０００１】
本考案はアーチ形屋根家屋に係り、例えば一般住宅、集合住宅、アパート、小規模マンションを建設するのに最適であり、その小屋組み軸構造として軽量鉄骨屋根構造体と木造屋根構造材とが併用され、しかも、現場施工が迅速かつ効率的に行え、さらには軽量でありながら構造堅牢に建築することが可能なアーチ形屋根家屋に関する。
【背景技術】
【０００２】
従来、工場、倉庫、市場等の建築物は大きな内部空間や面積を確保する必要から鉄骨ラーメン構造や鉄骨トラスト構造を採用することにより内部に柱がない無柱空間の建築物が建築されているが、この無柱空間の屋根には金属薄板よりなる帯状板材等を屋根表面材に用いることにより全体的にアーチ形（蒲鉾形）に葺設されたものがあった（例えば特許文献１参照）。
【特許文献１】特開２０００−１５３４７号公報
【考案の開示】
【考案が解決しようとする課題】
【０００３】
しかしながら、特許文献１に記載の上記従来のアーチ形屋根は、建築物として大きな内部空間や面積を確保するために、例えば工場、倉庫、市場等の大規模な建築物を建設するのを対象とするものである。従って、屋根面積も広くなってアーチ形屋根としての重量も多大になるので、鉄骨ラーメン構造や鉄骨トラスト構造を採用した構造的に堅牢な小屋組み軸構造体および軸組み構造体になっていた。このように、小屋組み軸構造体および軸組み構造体が鉄骨ラーメン構造や鉄骨トラスト構造により形成されるので、工場から施工現場までの資材の運搬が容易ではなく、しかも、現場での鉄骨ラーメン構造や鉄骨トラスト構造の組立施工には多くの時間と手間がかかり、施工効率が悪くなり、工事期間は長くなっていた。そのうえ、建築物が大規模化し建物全体の重量は増大する。
【０００４】
本考案はかかる問題点を解決し、例えば一般住宅、集合住宅、アパート、小規模マンションを建設するのに最適であり、現場施工が迅速かつ効率的に行え、さらには軽量でありながら構造堅牢なアーチ形屋根家屋を建築することを目的とする。
【課題を解決するための手段】
【０００５】
本考案は上記課題に鑑みてなされ請求項１に記載の考案は、
断面角形、断面Ｈ形、断面Ｉ形等の軽量形鋼材により形成される軽量鉄骨屋根構造体と、
該軽量鉄骨屋根構造体の側面長手方向に組み付けられ、木材により形成される木造屋根構造体とによりアーチ形屋根の小屋組み軸構造体を構成し、
前記軽量鉄骨屋根構造体が、
所望曲率にて形成され長手方向に所望個数が対向して設置されるアーチ形屋根梁材と、
該アーチ形屋根梁材の左右の両端部の下面に水平に設けられて継手部材を介して組み付けられる胴差し材と、
前記アーチ形屋根梁材の中央部最高部位間に長手方向に架設されて組付けられる棟梁部材とにより形成され、
前記木造屋根構造体が、
前記胴差し材の上面に添設された僅かに幅広の木製の添板部材と、
前記アーチ形屋根梁材と前記胴差し材との間の中央部に立設された少なくとも１本の小束材の左右の両側に添設した僅かに幅広の木製の添板部材と、
長手方向に対向する前記アーチ形屋根梁材の上面に所望接合金具を介して両端が接合される多数の木製の母屋材とにより形成され、
該母屋材の上面に前記アーチ形屋根梁材の曲率に沿って木製合板よりなる下地材を張設し、
該下地材の上面に防水シートを介して金属薄板にて形成された屋根表面材を葺き合わせることを特徴とする。
【０００６】
また、本考案の請求項２に記載の考案は、
断面角形、断面Ｈ形、断面Ｉ形等の軽量形鋼材により形成される軽量鉄骨屋根構造体と、
該軽量鉄骨屋根構造体の側面長手方向に組み付けられ、木材により形成される木造屋根構造体とによりアーチ形屋根の小屋組み軸構造体を構成し、
前記軽量鉄骨屋根構造体が、
所望曲率にて形成され長手方向に所望個数が対向して設置されるアーチ形屋根梁材と、
該アーチ形屋根梁材の左右の両端部の下面に水平に設けられて継手部材を介して組み付けられる胴差し材と、
前記アーチ形屋根梁材の中央部最高部位間に長手方向に架設されて組付けられる棟梁部材とにより形成され、
前記木造屋根構造体が、
前記胴差し材の上面に添設された僅かに幅広の木製の添板部材と、
前記アーチ形屋根梁材と前記胴差し材との間の中央部に立設された少なくとも１本の小束材の左右の両側に添設した僅かに幅広の木製の添板部材と、
長手方向に対向する前記アーチ形屋根梁材の上面に所望接合金具を介して両端が接合される多数の木製の母屋材とにより形成され、
前記アーチ形屋根梁材の左右の両端部下面が、断面角形、断面Ｈ形、断面Ｉ形等の軽量形鋼材により形成される柱材に継手部材を介して接合し、支持され、
前記母屋材の上面に前記アーチ形屋根梁材の曲率に沿って木製合板よりなる下地材を張設し、
該下地材の上面に防水シートを介して金属薄板にて形成された屋根表面材を葺き合わせることを特徴とする。
【０００７】
また、本考案の請求項３に記載の考案は、
断面角形、断面Ｈ形、断面Ｉ形等の軽量形鋼材により形成される軽量鉄骨屋根構造体と、
該軽量鉄骨屋根構造体の側面長手方向に組み付けられ、木材により形成される木造屋根構造体とによりアーチ形屋根の小屋組み軸構造体を構成し、
前記軽量鉄骨屋根構造体が、
所望曲率にて形成され長手方向に所望個数が対向して設置されるアーチ形屋根梁材と、
該アーチ形屋根梁材の左右の両端部の下面に水平に設けられて継手部材を介して組み付けられる胴差し材と、
前記アーチ形屋根梁材の中央部最高部位間に長手方向に架設されて組付けられる棟梁部材とにより形成され、
前記木造屋根構造体が、
前記胴差し材の上面に添設された僅かに幅広の木製の添板部材と、
前記アーチ形屋根梁材と前記胴差し材との間の中央部に立設された少なくとも１本の小束材の左右の両側に添設した僅かに幅広の木製の添板部材と、
長手方向に対向する前記アーチ形屋根梁材の上面に所望接合金具を介して両端が接合される多数の木製の母屋材とにより形成され、
該母屋材の上面に前記アーチ形屋根梁材の曲率に沿って木製合板よりなる下地材を張設し、
該下地材の上面に防水シートを介して金属薄板にて形成された屋根表面材を葺き合わせ、
外壁材または内壁材は、前記胴差し材の上面および前記前記小束材の左右の側面に添設した木製の添板部材を介して外側または内側に断熱材、防水シート等の中間の隔壁部材を介装の上適宜固定部品により取付けられることを特徴とする。
【０００８】
また、本考案の請求項４に記載の考案は、
断面角形、断面Ｈ形、断面Ｉ形等の軽量形鋼材により形成される軽量鉄骨屋根構造体と、
該軽量鉄骨屋根構造体の側面長手方向に組み付けられ、木材により形成される木造屋根構造体とによりアーチ形屋根の小屋組み軸構造体を構成し、
前記軽量鉄骨屋根構造体が、
所望曲率にて形成され長手方向に所望個数が対向して設置されるアーチ形屋根梁材と、
該アーチ形屋根梁材の左右の両端部の下面に水平に設けられて継手部材を介して組み付けられる胴差し材と、
前記アーチ形屋根梁材の中央部最高部位間に長手方向に架設されて組付けられる棟梁部材とにより形成され、
前記木造屋根構造体が、
前記胴差し材の上面に添設された僅かに幅広の木製の添板部材と、
前記アーチ形屋根梁材と前記胴差し材との間の中央部に立設された少なくとも１本の小束材の左右の両側に添設した僅かに幅広の木製の添板部材と、
長手方向に対向する前記アーチ形屋根梁材の上面に所望接合金具を介して両端が接合される多数の木製の母屋材とにより形成され、
該母屋材の上面に前記アーチ形屋根梁材の曲率に沿って木製合板よりなる下地材を張設し、
該下地材の上面に防水シートを介して金属薄板にて形成された屋根表面材を葺き合わせ、
前記小屋組み軸構造体により囲まれる内域の屋根裏空間部にはロフトが構築されることを特徴とする。
【０００９】
また、本考案の請求項５に記載の考案は、
断面角形、断面Ｈ形、断面Ｉ形等の軽量形鋼材により形成される軽量鉄骨屋根構造体と、
該軽量鉄骨屋根構造体の側面長手方向に組み付けられ、木材により形成される木造屋根構造体とによりアーチ形屋根の小屋組み軸構造体を構成し、
前記軽量鉄骨屋根構造体が、
所望曲率にて形成され長手方向に所望個数が対向して設置されるアーチ形屋根梁材と、
該アーチ形屋根梁材の左右の両端部の下面に水平に設けられて継手部材を介して組み付けられる胴差し材と、
前記アーチ形屋根梁材の中央部最高部位間に長手方向に架設されて組付けられる棟梁部材とにより形成され、
前記木造屋根構造体が、
前記胴差し材の上面に添設された僅かに幅広の木製の添板部材と、
前記アーチ形屋根梁材と前記胴差し材との間の中央部に立設された少なくとも１本の小束材の左右の両側に添設した僅かに幅広の木製の添板部材と、
長手方向に対向する前記アーチ形屋根梁材の上面に所望接合金具を介して両端が接合される多数の木製の母屋材とにより形成され、
該母屋材の上面に前記アーチ形屋根梁材の曲率に沿って木製合板よりなる下地材を張設し、
該下地材の上面に防水シートを介して金属薄板にて形成された屋根表面材を葺き合わせ、
前記母屋材の外側に前記アーチ形屋根梁材の外側面を覆い隠すように化粧板を適宜固定部品により取付けることを特徴とする。
【考案の効果】
【００１０】
本考案は、例えば一般住宅、集合住宅、アパート、小規模マンションを建設するのに最適であり、現場施工が迅速かつ効率的に行え、さらには軽量でありながら構造堅牢なアーチ形屋根家屋を建築することができる。
【考案を実施するための最良の形態】
【００１１】
以下、図面に従って本考案を実施するための最良の形態につき、詳細に説明する。
【００１２】
図１は本考案のアーチ形屋根家屋の実施形態１を示し、建築物の全景を示した斜視図、図２は同じく拡大斜視図、図３は同じく本実施形態１を構成する小屋組軸構造体を示す拡大断面図、図４は本実施形態１の軸組み構造体を示す拡大斜視図、図５は同じくアーチ形屋根を取り除いた斜視図である。
【００１３】
図１において、１は本実施形態１のアーチ形屋根Ａの小屋組み軸構造体であり、この小屋組み軸構造体１は例えば一般住宅、集合住宅、アパート、小規模マンションを建設するのに最適な姿態である。そして、この小屋組み軸構造体１は、断面角形、断面Ｈ形、断面Ｉ形等の軽量形鋼材２により形成される軽量鉄骨屋根構造体３と、該軽量鉄骨屋根構造体３の側面長手方向に組み付けられ、木材４により形成される木造屋根構造体５とにより構成される。
【００１４】
本実施形態１では前記軽量鉄骨屋根構造体３が例えば縦１００ｍｍ、横１００ｍｍ、厚さ３．２ｍｍ程度の断面角形の鋼材が構造材として使用される。
【００１５】
そして、この軽量鉄骨屋根構造体３は、所望曲率Ｒにて形成され長手方向Ｘに所望個数が対向して設置されるアーチ形屋根梁材６と、該アーチ形屋根梁材６の左右の両端部６ａ,６ｂの下面に水平に設けられて継手部材７を介して組み付けられる胴差し材８と、前記アーチ形屋根梁材６の中央部最高部位間に長手方向Ｘに架設されて組付けられる棟梁部材９とにより形成される。これらのアーチ形屋根梁材６、胴差し材８、棟梁部材９はいずれも前記寸法、断面の鋼材により形成される。
【００１６】
また、前記木造屋根構造体５が、前記胴差し材８の上面に添設された僅かに幅広の木製の添板部材１０と、前記アーチ形屋根梁材６と前記胴差し材８との間の中央部に立設された少なくとも１本の小束材１１Ａの左右の側面に添設された僅かに幅広の木製の添板部材１０′,１０′と、長手方向Ｘに対向する前記アーチ形屋根梁材６の上面に所望接合金具１２を介して両端が接合される多数の母屋材１３,１３・・・１３とにより形成される。
【００１７】
前記添板部材１０は、前記胴差し材８の幅Ｗよりも左右端の突出厚さｔ,ｔが僅か、好ましくは約５ｍｍ程度突出する幅Ｗ１であり、その厚さｓは３０〜５０ｍｍ程度に形成される。
【００１８】
この木製の添板部材１０の幅Ｗ１が軽量形鋼材にて形成される前記胴差し材８の幅Ｗよりも左右端が僅か、好ましくは約５ｍｍ程度の突出厚さｔ,ｔに突出するように形成するのと、前記小束材１１Ａの幅Ｗ２よりも左右の側面に添設された木製の前記添板部材１０′,１０′の左右端が約５ｍｍ程度の突出厚さｔ′,ｔ′に僅かに突出するように形成したのは、後述するように軽量鉄骨屋根構造体３と木造屋根構造体５とを併用する小屋組軸構造体１を組み付けた後に、軽量鉄骨屋根構造体３が木造屋根構造体５に併用されているのにも拘わらず、建築物Ｋの大部分を占める外側に後記外壁材１８および内側には後記内壁材２２をそれぞれ取付ける場合に簡単な取り扱い操作により作業効率良く取付けるためである。
【００１９】
すなわち、本実施形態１では、建築物Ｋの外側に外壁材１８を取付けるのに、小屋組軸構造体１内に中間の隔壁部材として後記断熱材１９を充填し、防水シート２０を表面に張設してから木製の添板部材１０；１０′,１０′やアーチ形屋根梁材６と前記胴差し材８との間の後記木製の小束材１１Ｂ,１１Ｃ,１１Ｄ,１１Ｅ,１１Ｆ,１１Ｇにねじ釘や釘をエアーハンマー等の打撃具により打ち込むことにより、外壁材１８を短時間に迅速かつ確実に作業効率が良く取付けるとともに取付後の外壁材１８の表面が浮き上がりや段差を生ずることなく、しかも接合端相互の継ぎ目が目立つことがない綺麗な仕上がりにて高い取付精度により取付けるようにするためである。また、建築物Ｋの内側（室内側）に石膏ボードや合板等の内壁材２２を取付けるのに、木製の前記添板部材１０；１０′,１０′やアーチ形屋根梁材６と前記胴差し材８との間の後記木製の小束材１１Ｂ,１１Ｃ,１１Ｄ,１１Ｅ,１１Ｆ,１１Ｇとにねじ釘や釘をエアーハンマー等の打撃具により打ち込むことにより、内壁材２２を短時間に迅速かつ確実に作業効率が良く取付けるとともに取付後の表面が浮き上がりや段差を主ずることなく綺麗な仕上がりにて高い取付精度により内壁材２２を取付けるようにするためである。
【００２０】
１４は母屋材１３,１３・・・１３の上面に前記アーチ形屋根梁材６の曲率Ｒに沿ってねじ釘や釘等の固定部品をエアーハンマー等の打撃具により打ち込むことにより張設する木製合板よりなる下地材である。
【００２１】
１５は該下地材１４の上面に防水シート１６を介して葺き合わせる屋根表面材であり、この屋根表面材１５は金属薄板、例えばアルミニウム板、ステンレス板、亜鉛板等が使用される。この屋根表面材１５の幅、長さ、厚さは制限がなく、自由に選択される。これらのアルミニウム板、ステンレス板、亜鉛板、銅板等の表面にはメッキ処理や塗装がされることもある。
【００２２】
また、１７は前記アーチ形屋根梁材６の左右の両端部６ａ,６ｂの下面を前記継手部材７ ,７を介して接合し、支持する柱材としての通し柱であり、この通し柱１７は前記軽量鉄骨屋根構造体３の軽量形鋼材２と同様の寸法、断面、例えば断面角形、断面Ｈ形、断面Ｉ形等の軽量形鋼材にて形成される。
【００２３】
また、１８はパネル状の外壁材であり、この外壁材１８は前記胴差し材８の上面および前記小束材１１Ａの左右の側面に添設した木製の添板部材１０；１０′,１０′と、木製の小束材１１Ｂ,１１Ｃ,１１Ｄ,１１Ｅ,１１Ｆ,１１Ｇを介して建築物Ｋの外側に断熱材１９、防水シート２０等の中間の隔壁部材を介装の上、ねじ釘、釘等の適宜固定部品２１をエアーハンマー等の打撃具により打撃する等の簡単な取り扱い操作により迅速かつ確実に作業効率良く取付けられる。この外壁材１８は、例えば天然の鉱石、セメントモルタル、石膏ボード、セラミック、合成樹脂ボード等の種々の材質、風合い、成形模様、色彩のものが用いられ、防水性、遮音性、断熱性、耐薬品性、耐紫外線性等に優れている。
【００２４】
また、２２は同様にパネル状の内壁材であり、この内壁材２２は前記胴差し材８の上面および前記小束材１１Ａの左右の側面に添設した木製の添設部材１０；１０′,１０′と、木製の小束材１１Ｂ,１１Ｃ,１１Ｄ,１１Ｅ,１１Ｆ,１１Ｇとを介して建築物Ｋの内側にねじ釘、釘等の適宜固定部品２１をエアーハンマー等の打撃具にて打撃する等の簡単な取り扱い操作により迅速かつ確実に作業効率良く取付けられる。この内壁材２２としては、例えば石膏ボードや木製合板が使用される。
【００２５】
２３はロフトであり、このロフト２３は前記小屋組み軸構造体１により囲まれる内域の屋根裏空間部２４に空間部を有効利用して構築される。
【００２６】
図２、図３において、２５は化粧板であり、この化粧板２５は前記母屋材１３,１３・・・１３の外側に前記アーチ形屋根梁材６の外側面を覆い隠すように円弧状の化粧板構成片２５Ａ,２５Ｂ,２５Ｃ・・・２５Ｇを連続して適宜固定部品２１′により取付けて化粧をするためのものである。この化粧板２５は、例えばプラスチック板、またベニア合板の表面にプラスチック板を重合し、被着した複合材が使用される。しかも、この化粧板２５は例えば屋根表面材１５、また建築物Ｋの外壁材１８に使用される材質、色彩、風合いに調和して種々の色彩、風合いのものが用意される。前記固定部品２１′は、例えばエアーハンマー等の打撃具により打撃されるねじ釘、釘が代表的に使用されるほか、ネジ、ボルト等があげられる。
【００２７】
２６はコンクリート製の建物基礎である。
【００２８】
２７はコーナ用の柱材取付金具であり、この柱材取付金具２７は前記建物基礎２６の上に断面角形、断面Ｈ形、断面Ｉ形等の前記軽量形鋼材にて形成された建物軸組み構造体Ｊとしての前記通し柱１７等を前記建物基礎２６上に立設するためのものである。そして、この柱材取付金具２７は、前記建物基礎２６内に下方大半分部が埋め込まれたアンカーボルトＵ．Ｖ； Ｕ．Ｖの上端部が取付けられる座翼板２７Ａ,２７Ａが平面略直角に設けられ、該座翼板２７Ａ,２７Ａが交叉する中間部には前記通し柱１７等の柱材の下端が挿入される平面略箱形の受口部２７Ｂが設けられている。そして前記アンカーボルトＵ．Ｖ； Ｕ．Ｖにナットが螺合されることにより柱材取付金具２７は前記建物基礎２６上に取付けられる。
【００２９】
２７′は柱材取付金具であり、この柱材取付金具２７′は前記建物基礎２６の上に断面角形、断面Ｈ形、断面Ｉ形等の前記軽量形鋼材にて形成された建物軸組み構造体Ｊとしての間柱２８等を前記建物基礎２６上に立設するためのものである。そして、この柱材取付金具２７′は、前記建物基礎２６内に下方大半分部が埋め込まれたアンカーボルトＵ．Ｖ； Ｕ．Ｖの上端部が取付けられる座翼板２７′Ａ,２７′Ａが前後に設けられ、該座翼板２７′Ａ,２７′Ａの中間部には間柱２８等の柱材の下端が挿入される平面略箱形の受口部２７′Ｂが設けられている。そして前記アンカーボルトＵ．Ｖ； Ｕ．Ｖにナットが螺合されることにより柱材取付金具２７′は前記建物基礎２６上に取付けられる。
【００３０】
２９は前記通し柱１７と間柱２８との間、または間柱２８間の所望位置に補強のために筋交い材である。
【００３１】
１０″は建物軸組み構造体Ｊとして断面角形、断面Ｈ形、断面Ｉ形等の前記軽量形鋼材にて形成された前記通し柱１７の側面に直角にその左右端が僅か、好ましくは約５ｍｍ程度の突出厚さｔ″,ｔ″に僅かに突出するように添設されるか、または間柱２８の前後にその左右端が僅か、好ましくは約５ｍｍ程度の突出厚さｔ″,ｔ″に僅かに突出するように添設された木製の添板部材であり、この添板部材１０″は建築物Ｋの外側に中間の隔壁部材として断熱材１９、防水シート２０を介して外壁材１８をエアーハンマー等の打撃具によりねじ釘、釘等を打ち込んで取付けたり、または建築物Ｋの内側に内壁材２２を同様にねじ釘、釘をエアーハンマー等の打撃具により打ち込んで取付けたりするためのものである。
【００３２】
本考案のアーチ形屋根家屋の実施形態１は以上の構成からなり、建築現場においてアーチ形屋根Ａを構築するのには、先ずコンクリート製の建物基礎２６内に下方部が埋め込まれたアンカーボルトＵ．Ｖの上端部にナットを螺合することにより取付けた座翼板２７Ａ,２７Ａを略直角に有するコーナ用の柱材取付金具２７の平面略箱形の受口部２７Ｂ内に下端を挿入してボルト止めすることにより建物基礎２６上の所望位置、例えば四隅に図示するような断面角形、また図には示さないが断面Ｈ形、断面Ｉ形等の軽量形鋼材にて形成した通し柱１７を立設する。
【００３３】
また、同様にコンクリート製の建物基礎２６内に下方部が埋め込まれたアンカーボルトＵ．Ｖの上端部にナットを螺合することにより建物基礎２６上に取付けた座翼板２７′Ａ,２７′Ａを前後に有する柱材取付金具２７′の平面略箱形の受口部２７′Ｂ内に下端を挿入することにより建物基礎２６上の通し柱１７,１７間の所望位置に図示するような断面角形、また図には示さないが断面Ｈ形、断面Ｉ形等の軽量形鋼材にて形成した間柱２８を所望本数立設する。こうして、軽量形鋼材により家屋の軸組み構造体Ｊを構築する。
【００３４】
次いで、建物の最上階、図１では３階Ｆ３の上部において、建物基礎２６の隅部、例えば四隅に前後、左右に立設された対向する通し柱１７間と、該通し柱１７間に立設する所望数本の間柱２８との上端にそれぞれ軽量鉄骨屋根構造体３としての胴差し材８を例えばＬ形金具３０等の接合金具を介して所望個所をボルトＶ１によりボルト止めする等して組み付けて水平に架設する。
【００３５】
この際、胴差し材８の上面には僅かに幅広の木製の添板部材１０を添設する。この添板部材１０を胴差し材８の上面に添設するには、胴差し材８に複数のボルトＶ２を貫通の上、ナットにより螺着れば容易に添設することができる。この取付方法は、代表的な例示であり、これに限定するものではない。
【００３６】
その後、図示するような断面角形、また図には示さないが断面Ｈ形、断面Ｉ形等の前記軽量形鋼材２にて形成したアーチ形屋根梁材６の左右の両端部６ａ,６ｂを胴差し材８の左右の端部上に継手部材７として側面略く字状の接合プレート３１をそれぞれの接合部に跨って重合の上、複数個所をボルトＶ３を用いてボルト止めする等して接合する。この取付方法は、代表的な例示であり、これに限らない。
【００３７】
それから、図示するような断面角形、また図には示さないが断面Ｈ形、断面Ｉ形等の前記軽量形鋼材２にて形成した棟梁部材９が、上記のように長手方向Ｘに対向して組み付けられたアーチ形屋根梁材６,６,６・・・の中央部最高部位間に図示するように架設されてＬ形金具３２を介してボルトＶ４によりボルト止めする等して組み付けられる。この取付方法は、代表的な例示であり、これに限定されるものではない。
【００３８】
このようにして組み付けられたアーチ形屋根梁材6と胴差し材8との間に、中央部には最も長く、図示するような断面角形、また図には示さないが断面Ｈ形、断面Ｉ形等の軽量形鋼材２にて形成した小束材１１Ａを立設する。この小束材１１Ａの上端をアーチ形屋根梁材６の下面に取付けたり、下端を水平な胴差し材８の上面に固定するのには、例えばＬ形金具３２にボルトＶ４を用いてボルト止めする等して取付ける。この取付方法は、代表的な例示であり、これに限らない。
【００３９】
そして、この中央の小束材１１Ａの左右には、アーチ形屋根梁材６の曲率Ｒに対応して円弧端部に行くにつれて長さが短くなる木製の小束材１１Ｂ,１１Ｂ；１１Ｃ,１１Ｃ；１１Ｄ,１１Ｄ；１１Ｅ,１１Ｅ；１１Ｆ,１１Ｆ；１１Ｇ,１１Ｇを前記添板部材１０の上に所望間隔にて立設する。この時、小束材１１Ｂ,１１Ｂ；１１Ｃ,１１Ｃ；１１Ｄ,１１Ｄ；１１Ｅ,１１Ｅ；１１Ｆ,１１Ｆ；１１Ｇ,１１Ｇをアーチ形屋根梁材６との間において前記添板部材１０の上に取付けるのには、例えばねじ釘や釘をエアーハンマー等の打撃具を用いて打撃することにより取付ける。この取付方法は、代表的な例示であり、これに限らない。
【００４０】
その後、前述のように対向して組み付けられた長手方向Ｘに対向する前記アーチ形屋根梁材６,６・・・の上面にＬ形金具等の所望接合金具１２とボルト１２ａとにより両端を接合して多数の母屋材１３,１３・・・１３を長手方向Ｘに架設する。
【００４１】
このようにして、図示するような断面角形、また図には示さないが断面Ｈ形、断面Ｉ形等の軽量形鋼材２にて所望曲率Ｒにて形成され、長手方向Ｘに所望個数が対向して設置されるアーチ形屋根梁材６,６・・・と、該アーチ形屋根梁材６,６・・・の左右の両端部６ａ,６ｂの下面に水平に継手部材７を介して組み付けられる胴差し材８と、前記アーチ形屋根梁材６,６・・・の中央部最高部位間に長手方向Ｘに架設されて組付けられる棟梁部材９とにより形成される軽量鉄骨屋根構造体３と、前記胴差し材８の上面に添設された僅かに幅広の木製の添板部材１０と、前記アーチ形屋根梁材６,６・・・と前記胴差し材８との間の中央部に立設された少なくとも１本の小束材１１Ａの左右の両側面に添設された幅広の木製の添板部材１０′,１０′と、長手方向Ｘに対向する前記アーチ形屋根梁材６,６・・・の上面に所望の接合金具１２を介して両端が接合される所望間隔の多数の木製の母屋材１３,１３・・・１３とにより形成される木造屋根構造体５とが併用されて建築施工現場にてアーチ形屋根Ａの骨格となる小屋組み軸構造体１は構築される。
【００４２】
その後、木製の母屋材１３,１３・・・１３の上面に前記アーチ形屋根梁材６の曲率Ｒに沿って木製合板よりなる下地材１４,１４・・・１４を、エアーハンマー等の打撃具を用いてねじ釘、釘等を打撃することにより固着して屋根全体に張設する。
【００４３】
それから、下地材１４,１４・・・１４の上面に防水シート１６を敷設し、この防水シート１６を介して金属薄板、例えばアルミニウム板、ステンレス板、亜鉛板、銅板等の金属薄板にて形成された屋根表面材１５をねじ釘等を打撃具により打撃することにより固着して葺き合わせる。この際、屋根表面材１５は、前述のように、対向するアーチ形屋根梁材６,６・・・の曲率Ｒに沿って所望間隔にて固着した多数の母屋材１３,１３・・・１３の上面に張設した下地材１４,１４・・・１４に防水シート１６を介して金属薄板よりなる屋根表面材１５が例えばねじ釘、釘等を打ち込むことにより取付けられるので、迅速に作業能率良く屋根表面材１５を下地材１４,１４・・・１４上に葺き合わせることができるとともに、葺き合わせられた屋根表面材１５が歪んだり、浮き上がって波打ったりすることなく、表面は綺麗に葺き合わせられる。
【００４４】
さらに、前記母屋材１３,１３・・・１３の外側（木口面）に、例えばプラスチック板にて形成されるか、またベニア合板の表面にプラスチック板を重合し、被着した複合材等により形成される円弧状の化粧板構成片２５Ａ,２５Ｂ,２５Ｃ・・・２５Ｇをアーチ形屋根梁材6の曲率に合わせて連続して接合されるとともに例えばねじ釘、釘等の適宜固定部品２１′をエアーハンマー等により打ち込むことにより化粧板２５にて軽量形鋼材２の前記アーチ形屋根梁材6の外側面を覆い隠して化粧をする。
【００４５】
この化粧板２５は、前述のように例えばプラスチック板により形成されるか、またはベニア合板の表面にプラスチック板を重合し、被着した複合材が使用されので、撥水性と腐 食性を発揮し、雨、雪、風等の耐候性が充分である。しかも、紫外線にも耐え、汚れにも強く、清掃等が容易である。さらには、この化粧板２５は例えば屋根表面材１５、また家屋の外壁材１８の材質、色彩、風合いに等に調和して種々の材質、色彩、風合いのものが用いられるので、塗装等を施さなくても済む。
【００４６】
そして、アーチ形屋根Ａの骨格となる小屋組み軸構造体１の外側を覆う外壁材１８を取付けるのには、この小屋組み軸構造体１を構成する軽量形鋼材２により形成しているアーチ形屋根梁材6と、水平材としての胴差し材８とにより囲まれる空間領域において、小束材１１Ａと小束材１１Ｂとの間、小束材１１Ｂと小束材１１Ｃとの間、小束材１１Ｃと小束材１１Ｄとの間、小束材１１Ｄと小束材１１Ｅとの間、小束材１１Ｆと小束材１１Ｇとの間の空間領域にそれぞれ中間の隔壁部材として断熱材１９を充填し、防水シート２０を表面に張設した後に外壁材１８にて覆って取付ける。
【００４７】
この外壁材１８を固定するのには、例えば打撃具を用いてエアーハンマー等によりねじ釘、釘等を打撃することによりこのねじ釘等の先端部を木造屋根構造体５としての胴差し材８の上面に添設している僅かに幅広の木製の添板部材１０や、前記アーチ形屋根梁材６と前記胴差し材８との間の中央部に立設している少なくとも１本の小束材１１Ａの左右の両側面に添設した僅かに幅広の添板部材１０′,１０′に、また、アーチ形屋根梁材６と前記胴差し材８との間の木製の小束材１１Ｂ,１１Ｃ,１１Ｄ,１１Ｅ,１１Ｆ,１１Ｇにそれぞれ打ち込むことにより、外壁材１８をねじ釘等に打ち付けられて短時間に迅速かつ確実に作業効率が良く取付けることができる。この取付方法は、エアーハンマーにより打撃を自動的に行う代表的な例示であり、これに限らず、ハンマーにて手作業にてねじ釘等を打撃してもよい。
【００４８】
この際、木製の添板部材１０の幅Ｗ１が軽量形鋼材２にて形成した前記胴差し材８の幅Ｗよりも左右端が僅か、好適には約５ｍｍ程度の突出厚さｔ,ｔに僅かに突出されるのと、前記小束材１１Ａの幅Ｗ２よりも左右の側面に添設された木製の前記添板部材１０′,１０′の左右端が僅かに、好ましくは約５ｍｍ程度の突出厚さｔ′,ｔ′に突出されるので、軽量鉄骨屋根構造体３と木製屋根構造体５とよりなる小屋組軸構造体１を組み付けた後に、軽量鉄骨屋根構造体３が木造屋根構造体５に併用されているのにも拘わらず、外壁材１８を外側に取付けるのに、小屋組軸構造体１内に中間の隔壁部材として後記断熱材１９を充填し、防水シート２０を表面に張設してから木製の添板部材１０；１０′,１０′やアーチ形屋根梁材６と前記胴差し材８との間の木製の小束材１１Ｂ,１１Ｃ,１１Ｄ,１１Ｅ,１１Ｆ,１１Ｇにねじ釘等を打ち込むことにより、外壁材１８を短時間に迅速かつ確実に作業効率が良く取付けるとともに浮き上がりにより段差を生ずることなく、綺麗な仕上がにて高精度に取付けることができる。しかも、外壁材１８の接合端部相互の接合と、コーナ個所における外壁材１８の端部相互の接合が間隙が空いたり、間隙が空いたりすることなく取付ることができる。
【００４９】
また、アーチ形屋根Ａの骨格となる小屋組み軸構造体１により囲まれる内側に例えば石膏ボードや合板等の内壁材２２を取付けるのには、例えばねじ釘、釘等をエアーハンマー等の打撃具により打撃することによりこのねじ釘等の先端部が木造屋根構造体５としての胴差し材８の上面に添設した僅かに幅広の木製の添板部材１０や、アーチ形屋根梁材６と胴差し材８との間の中央部に立設した少なくとも１本の小束材１１Ａの左右の両側面に添設された幅広の添板部材１０′,１０′、さらにはアーチ形屋根梁材６と前記胴差し材８との間の木製の小束材１１Ｂ,１１Ｃ,１１Ｄ,１１Ｅ,１１Ｆ,１１Ｇにねじ釘やねじ等が打ち込まれるため、内壁材２２をねじ釘等により迅速かつ確実に作業効率が良く取付けることができる。また、木造屋根構造体５に対する内壁材２２の取付けは、このようにエアーハンマーにより打撃を自動的に行うのは代表的な例示であり、これに限らず、ハンマーにて手作業にて打撃してもよく、例えばネジ等より行うこともできる。さらに内壁材２２の表面（室内側）には、合成樹脂ビニール等により形成される化粧シート２２Ａや壁紙を接着したり、塗料を塗布するなどして表面を綺麗にする。
【００５０】
また、アーチ形屋根Ａの骨格となる小屋組み軸構造体１により囲まれる内側の屋根裏空間部２４は相当に広いので、例えばロフト２３を構築するようにすれば床面積を有効活用して快適な居住スペースを確保することができる。
【００５１】
上記のように建設された本実施形態１によるアーチ形屋根家屋のアーチ形屋根Ａは、所望曲率Ｒにて形成されて長手方向Ｘに所望個数を対向して設置したアーチ形屋根梁材６と、該アーチ形屋根梁材６の左右の両端部６ａ,６ｂの下面に水平に設けられて継手部材７を介して組み付けられる胴差し材８と、前記アーチ形屋根梁材６の中央部最高部位間に長手方向Ｘに架設されて組付けられる棟梁部材９とによる必要最小限の部所に軽量鉄骨屋根構造体３を図示するような断面角形、また図には示さないが断面Ｈ形、断面Ｉ形等の軽量形鋼材２を採用して用いたのと、前記胴差し材８の上面、および前記アーチ形屋根梁材６と前記胴差し材８との間の中央部に立設した少なくとも１本の小束材１１Ａの左右の両側面には前記軽量形鋼材２よりも軽量な木製の添板部材１０と木製の添板部材１０′,１０′とを構造材として併用したので、例えば特許文献１に記載のように小屋組み軸構造体および軸組み構造体として鉄骨ラーメン構造や鉄骨トラスト構造を採用した無柱空間の大規模な建築物に適用されるアーチ形（蒲鉾形）屋根とは異なり、建築施工現場での組立施工は多くの時間と手間がかからず、施工効率は良く、短い工事期間にて建築物Ｋを建築することができ、建築コストは低廉になるとともに工場から施工現場までの資材の運搬が容易である。
【００５２】
しかも、軽量鉄骨屋根構造体３と木造屋根構造体５とを併用する本実施形態１のアーチ形屋根Ａは、軽量化され、しかも軽量化されるわりに軽量鉄骨屋根構造体３と木造屋根構造体５とのそれぞれの利点が活かされて構造的に堅牢になる。従って、建築物Ｋ全体の総重量に対してアーチ形屋根Ａが占める屋根部分の重量を大幅に軽減化し、建築物Ｋとして高耐震性を発揮するとともに台風等の風圧にも強く、堅牢な建築物Ｋを建築することができる。
【産業上の利用可能性】
【００５３】
本考案は、例えば一般住宅、集合住宅、アパート、小規模マンションを建設するのに最適であり、現場施工が迅速かつ効率的に行え、さらには軽量でありながら構造堅牢なアーチ形屋根家屋を建築するという用途・機能に適する。
【図面の簡単な説明】
【００５４】
【図１】図１は本考案のアーチ形屋根家屋の実施形態１を示し、建築物の全景を示した斜視図である。
【図２】図２は同じく同じく拡大斜視図である。
【図３】図３は同じく本実施形態１を構成する小屋組軸構造体を示す拡大断面図である。
【図４】図４は同じく本実施形態１の軸組み構造体を示す拡大斜視図である。
【図５】図５は同じく同じくアーチ形屋根を取り除いた斜視図である。
【符号の説明】
【００５５】
１      小屋組軸構造体
２      軽量形鋼材
３      軽量鉄骨屋根構造体
４      木材
５      木造屋根構造体
６      アーチ形屋根梁材
７      継手部材
８      胴差し材
９      棟梁部材
１０    添板部材
１０′  添板部材
１１Ａ  小束材
１１Ｂ  小束材
１１Ｃ  小束材
１１Ｄ  小束材
１１Ｅ  小束材
１１Ｆ  小束材
１１Ｇ  小束材
１３    母屋材
１４    下地材
１５    屋根表面材
１６    防水シート
１８    外壁材
１９    断熱材
２０    防水シート
２２    内壁材
２３    ロフト
２４    屋根裏空間部
２６    建物基礎
２８    通し柱
Ａ      アーチ形屋根
Ｊ      建物軸組み構造体
Ｋ      建築物
Ｘ      長手方向
Ｗ      幅
Ｗ１    幅
Ｗ２    幅
【図１】
0003109810.tif 000003
【図２】
0003109810.tif 000004
【図３】
0003109810.tif 000005
【図４】
0003109810.tif 000006
【図５】
0003109810.tif 000007